(57)【要約】【課題】出力画像の内容表示に入力端子部のグラフィック表示を用いるとともに、グラフィック表示を機器自体の設置状況や接続環境に応じて変化させる事で、現在機器のどこに配置されている映像入力端子なのかをわかりやすくし、機器の接続を容易にし、操作性の向上を図ることのできる画像表示装置を提供することを目的とする。【解決手段】画像表示装置が天井等に設置され、天地逆になった場合、操作部１７からリモコン等で設置状況を制御回路部１６に指示し、制御回路部１６からＯＳＤ回路部１５に信号が送られ、ＯＳＤ回路部１５は映像入力を設置状況に応じて天地を反転させる。しかし、「ＲＧＢ１」等の文字情報は反転させるが、入力端子のグラフィック表示は反転させない。つまり、実際の配置状況と一致させる。【選択図】図１
2008070512.tif 000002
【特許請求の範囲】
【請求項１】
複数の映像信号入力端子からなる映像入力端子部と、前記映像入力端子部を介して送られてくる映像入力信号から所望の映像信号を選択する入力セレクタと、前記入力セレクタで選択した映像信号を処理する信号処理部と、機器の設置状況を判断する設置状況判断部と、前記信号処理部で信号処理された映像信号の映像を表示するとともに、機器の設置状況に応じて映像出力を上下もしくは左右に反転させる映像表示部と、前記映像表示部の画面に、前記設置状況判断部で判断された設置状況と前記入力セレクタで選択された入力信号の情報をもとに、前記映像入力端子部のグラフィック画像およびガイドを表示させるＯＳＤ回路部と、前記入力セレクタでの入力切り換えを制御する一方、前記設置状況判断部からの指示により、前記映像出力が反転しても、前記映像入力端子部のグラフィック画像は反転させないように前記ＯＳＤ回路部を動作させる制御回路部とを備えることを特徴とする画像表示装置。
【請求項２】
前記信号処理部は、前記入力セレクタからの信号を判別する信号判別回路と信号処理回路とを備え、前記制御回路部は、前記信号判別回路での信号判別により、前記入力セレクタで選択された映像信号の有無を判断し、無しと判断した場合、前記入力セレクタで選択された映像信号名称表示とともに、入力端子のグラフィック画像を表示させ、現在選択されている映像信号の入力端子をハイライト表示させるなどし、どの入力端子の映像が選択されているかを容易に判断できることを特徴とする請求項１記載の画像表示装置。
【請求項３】
前記操作部は、操作キーおよびリモコンとリモコンの信号を受けるリモコン受光部とを備え、前記入力端子部のすべての入力端子のグラフィック画像が表示されているとき、前記操作キーと前記リモコンに設けられた十字キーを操作する事で、入力切り換えを可能とする請求項１記載の画像表示装置。
【請求項４】
前記操作部に機器の設置状況を判断する設置状況判断部を備えることを特徴とする請求項３記載の画像表示装置。
【請求項５】
前記入力セレクタで選択した入力信号が、前記入力端子部に入力されていない時、前記映像入力端子部のグラフッィクを表示させると同時に、どの端子にどのような機器を接続したら良いかを促す表示をさせることを特徴とする請求項１記載の画像表示装置。
【請求項６】
前記信号処理部は、前記入力端子部の各端子への映像信号状況を順次取得する機能を備え、前記映像表示部は各端子からの映像を保存することが可能であり、入力切り換え時に一覧表示することを選択した場合、各端子の現在の映像信号を表示することによって、どの端子にどのような映像が入っているかを一望できるようにすることを特徴とする請求項１記載の画像表示装置。
【請求項７】
前記映像信号処理部で、入力画像の一覧を表示する際に、前記入力端子部に入力されていない場合に、どのような機器を接続したらいいかを促す表示をさせることを特徴とする請求項５記載の画像表示装置。
【発明の詳細な説明】
【技術分野】
【０００１】
本発明は、プロジェクタ等の画像表示装置において、ＯＳＤ（オンスクリーン・ディスプレイ）表示に関するものである。
【背景技術】
【０００２】
近年、家庭でのホームシアター用や、会議・プレゼンテーション用としてプロジェクタ等の画像表示装置を扱う機会が増えてきている。さらにＡＶ機器や情報機器の多様化・高性能化・多機能化が進み、また、ＶＴＲやパソコンなど一種類の機器を複数所有する例も増加している。さらに機器のデジタル化により多くの出力信号を備えた機器も増加してきた。そのため、プロジェクタ等の画像表示装置もこのような多様な機器と接続する必要が生じ、そのため、装備される入力端子も増加してきている。
【０００３】
このような状況の中で、数多くの入力端子に対しての各機器との接続やそれら映像入力信号の切り換えは、従来のままでは非常に扱いにくいものとなってきている。
【０００４】
これを解決するものとして、例えば、映像入力端子にＲＧＢ入力端子、ＶＩＤＥＯ入力端子、Ｓ−ＶＩＤＥＯ入力端子の３つの入力端子があった場合、ユーザは入力切り換えボタンを押すことによりトグルでＲＧＢ→ＶＩＤＥＯ→Ｓ−ＶＩＤＥＯと入力信号を切り換えることが出来、その際、どの映像信号が画像表示装置の画面上に出力されたかの情報として「ＲＧＢ」、「ＶＩＤＥＯ」、「Ｓ−ＶＩＤＥＯ」の各映像信号の名称が出力画面に表示される。このような入力切り換えを行ったときに出力画面に表示される名称表示に関して、ユーザが任意に名称表示を設定できる映像装置が特許文献１、および特許文献２に記載されている。
【特許文献１】特開平７−２６４４７５号公報
【特許文献２】特開平２−２８３１７７号公報
【発明の開示】
【発明が解決しようとする課題】
【０００５】
しかしながら、上記従来のような出力画像の内容表示に関し、文字情報では、ユーザが所望する画像が選択されているかの判断が困難であり、また、ユーザが任意に名称設定できる場合も各々で設定しなければならないという煩わしさと、設定者本人以外はわかりにくいという面もあった。
【０００６】
また、入力切り換え操作に関しても、ユーザが入力切り換えボタンを押すことによりトグルで切り替わる方法では、いつ所望の映像に切り替わるのかが分かりにくく、もし多くの入力端子を備えてある画像表示装置の場合、一度所望の映像信号を飛び越えてしまうと、所望の映像に切り替わるまでに何度も繰り返して入力切り換えボタンを押さなければならず、入力信号の選択に要するキー操作が面倒であった。
【０００７】
また、各映像入力端子に現在どのような信号が入っているかを一望では判断できなかった。
【０００８】
また、機器によって入力端子が一箇所に集中せず、機器の前面と背面に配置されている場合や、プロジェクタ等のように、設置位置によって機器の天地が変わる可能性のある場合は、実態と表示とが反対になってしまうため、機器自体の入力端子近傍の表示が視認しにくい場合は、接続に時間がかかったり、誤って接続してしまう恐れもあった。
【０００９】
そこで、本発明は、出力画像の内容表示に入力端子部のグラフィック表示を用いるとともに、グラフィック表示を機器自体の設置状況や接続環境に応じて変化させる事で、現在機器のどこに配置されている映像入力端子なのかをわかりやすくし、機器の接続を容易にし、また、各映像入力端子にどのような映像が入っているのかを、静止画やサムネイル等で一覧表示する事で、操作性の向上を図ることのできる画像表示装置を提供することを目的とする。
【課題を解決するための手段】
【００１０】
上記従来の課題を解決するため、本発明の画像表示装置は、出力画像の内容表示に従来の名称表示と、画像表示装置に設けられた映像入力端子部と同じ位置構成ですべての入力端子のグラフィック画像を表示させるＯＳＤ回路部を設けるとともに、現在画像表示装置がどのような設置環境にあるかを判断する設置状況判断部を設け、判断した設置環境に基き、ＯＳＤ回路部はグラフィック表示を変化させる。また、入力切り換え操作に入った際に、ＯＳＤ回路部は、各映像入力端子に入っている映像信号を順次取得し静止画やサムネイル等で一覧表示できるようにする。
【００１１】
これにより、機器の設置状況に応じて映像入力端子部のグラフィック表示が変化し、機器のどこに配置されている入力端子に接続した信号が、画像表示装置の画面に出力されているのかを容易に判断できる。また、静止画やサムネイル等で一覧表示し、各入力端子に入っている入力映像がどのようなものかを一望できるようにすることで、映像入力端子選択の際にユーザがどの端子を選択すればよいかの判断も容易となり、入力端子での選択ではなく、所望の映像での選択も可能となる。
【００１２】
また、単に入力端子のみを選択したい場合は、名称表示をやめることにより、レイアウト情報のみを表示すればよい。
【発明の効果】
【００１３】
以上のように本発明は、入力信号の選択にＧＵＩ（グラフィカル  ユーザ  インターフェイス）を用い、かつ、機器の設置状況に応じてグラフィック表示を変化させることにより、ユーザに映像入力切り換え時の映像信号の状態を容易に理解させることが出来、操作性の向上を図る事が出来る。
【００１４】
また、入力端子のグラフィック表示に加え、各映像入力端子への映像を表示する事により端子がどれかという事によらず、映像をもとに入力端子の選択をユーザに可能にし、一層の操作性向上を図る事が出来る。
【発明を実施するための最良の形態】
【００１５】
以下、本発明の実施の形態について、図面を参照しながら説明する。
【００１６】
（実施の形態１）
図１は本発明の画像表示装置の実施の形態１の構成を示すブロック図である。
【００１７】
図１において、映像入力端子部１１は画像表示装置と様々なＡＶ機器や情報機器とを接続する映像信号入力端子を備えており、例えばＲＧＢ入力端子、ＶＩＤＥＯ入力端子、Ｓ−ＶＩＤＥＯ入力端子などが設けられている。 これら複数の入力信号から所望の入力信号を選択するのが入力セレクタ１２である。
【００１８】
この入力セレクタ１２で入力切り換えが行われるのは、操作部１７からの選択指令が出された時であり、リモコンや画像表示装置に備えられている操作キーの中のある入力切り換えボタンが押されると、操作部１７から選択指令信号が出力される。この選択指令信号を制御回路部１６で受け、入力セレクタ１２に制御信号を送る。その制御信号を受け、入力セレクタ１２で複数の信号から１つの映像信号が出力される。その出力された信号が信号処理部１３で処理され、映像表示部１４で画面に表示される。
【００１９】
図２は、入力切り換えが行われた時、画面上に出力された信号が何であるかを表す文字情報および、どの入力端子に接続した信号の映像なのかを表すＯＳＤ表示である。ここで、図２は、例えば入力切り換えにてＲＧＢ１の信号が選択された場合であり、ＲＧＢ１の信号が出力されていることを示す「ＲＧＢ１」という文字情報と共に、映像入力端子のグラフィックを表示させている。
【００２０】
この映像入力端子のグラフィックは、画像表示装置に備わっているすべての入力端子を表示したものであり、それぞれの入力端子の配置も、実際の画像表示装置に配置してあるのと同じ配置で表示している。この映像入力端子部のグラフィックに、矢印にて現在選択されている映像入力端子（図２の例ではＲＧＢ１入力端子）を示すことで、どの端子に接続した映像信号が画像表示装置の画面上に出力されているかを判断できる。
【００２１】
つまり、入力切り換えが行われた時は、制御回路部１６からＯＳＤ回路部１５に制御信号が送られ、図２に示すようなＯＳＤ表示の為の映像信号を出力し、信号処理部１３で処理され、映像表示部１４で画面上に表示される。
【００２２】
また、たとえば画像表示装置が天井等に設置され、天地逆になった場合、操作部１７からリモコン等で設置状況を制御回路部１６に指示し、制御回路部１６からＯＳＤ回路部１５に信号が送られ、ＯＳＤ回路部１５は映像入力を設置状況に応じて天地を反転させる。しかし、「ＲＧＢ１」等の文字情報は反転させるが、入力端子のグラフィック表示は反転させない。つまり、実際の配置状況と一致させる。
【００２３】
以上のように本実施の形態によれば、入力信号を切り換えた際、画面上にどの入力信号の映像が表示されているかを、入力信号の名称表示だけでなく、入力端子部のグラフィックを表示させることで、また、画像表示装置の設置環境に応じて入力端子部のグラフィック表示を変化させる事で、どの位置のどの端子に接続した信号が現在の画面に出力されているかを容易に認識させることが出来るという効果がある。
【００２４】
なお、本実施の形態において、入力端子部のグラフィック表示で、どの入力端子の画像が選択されているのかを示すのに矢印を用いたが、選択されている入力端子をハイライト表示するとか枠で囲むなどしても良い。
【００２５】
また、設置状況の判断や切り換えは、設置制御部に現在の状況をリモコン等で指示する事で行う例を示したが、画面に表示したメニューから選択するようにしてもよいし、例えば加速度センサー等により、画像表示装置本体でどの向きで使用されているかを判断し、表示を切り換えてもよい。
【００２６】
（実施の形態２）
図３は本発明の画像表示装置の実施の形態２の構成を示すブロック図である。第１の発明の実施の形態の図１と同一要素については同一符号を付し、同一の動作をするものとする。
【００２７】
図３において、入力セレクタ１２で複数の入力信号の切り換えを行うということはすでに実施の形態１で述べた通りであるが、この入力セレクタ１２から出力された映像信号は信号処理部１３の信号判別回路１８に入力され、この信号判別回路１８でどのような信号であるかが判別される。制御回路部１６は、この信号判別の結果を受けて、入力セレクタ１２で選択された入力信号が映像入力端子部１１に接続されているか否かを判断できる。
【００２８】
もし、映像入力端子部１１に接続されていなければ、当然画像表示装置の画面には画像は表示されない。このときユーザは、入力切り換えにて所望の映像信号に切り換えるか、もしくは、現在選択されている映像モードの入力端子に映像信号を接続しなければならない。
【００２９】
そこで、図４の様なＯＳＤ表示を行うことで、現在どの入力端子の映像モードが選択されているかを容易に判断できる。図４は、例えば入力セレクタ１２にてＲＧＢ１の信号が選択され、さらに、この入力端子に映像信号が入力されていない時、ＲＧＢ１信号の出力モードが選択されていることを示す「ＲＧＢ１」の文字情報と共に、映像入力端子のグラフィックを表示させている。
【００３０】
この映像入力端子のグラフィックは、画像表示装置に備わっているすべての入力端子を表示したものであり、それぞれの入力端子の配置も実際の画像表示装置に配置してあるのと同じ配置で表示している。この映像入力端子部のグラフィックに、矢印にて現在選択されている映像入力端子（図４の例ではＲＧＢ１入力端子）を示すことで、どの端子に接続した映像信号が画像表示装置の画面上に出力されているかを容易に判断できる。
【００３１】
さらに、現在選択されている映像入力端子にはどのような機器を接続したらよいかという画像（図４の例ではパソコンの画像）を同時に表示させることで、現在の映像モードはどの入力端子にどのような機器を接続したら映像が出力するかを容易に理解させることができる。
【００３２】
つまり、制御回路部１６は、信号判別回路１８により入力セレクタ１２で選択された入力信号が映像入力端子部１１に接続されているか否かを判断し、接続されていない場合は、制御回路部１６からＯＳＤ回路部１５に制御信号が送られ、図４に示すようなＯＳＤ表示の為の映像信号を出力し、信号処理回路１９で処理され、映像表示部１４で画面上に表示される。
【００３３】
また、たとえば画像表示装置が天井等に設置され、天地逆になった場合、操作部１７からリモコン等で設置状況を制御回路部１６に指示し、制御回路部１６からＯＳＤ回路部１５に信号が送られ、ＯＳＤ回路部１５は映像入力を設置状況に応じて天地を反転させる。しかし、「ＲＧＢ１」等の文字情報とどのような機器を接続したらよいかという画像は反転させるが、入力端子のグラフィック表示は反転させない。つまり、実際の配置状況と一致させる。
【００３４】
以上のように本実施の形態によれば、入力切り換えで選択された映像信号の入力端子に信号が接続されていない場合にも、選択されている映像信号の名称表示に加え、入力信号端子部のグラフィックを表示させることで、所望する映像信号と現在の入力モードが一致してないことを容易に判断でき、また、今の映像モードはどの入力端子にどのような機器を接続したら映像が出力するかを容易に理解させることができるという効果がある。
【００３５】
また、実施の形態１と同様に、画像表示装置の設置環境に応じて入力端子部のグラフィック表示を変化させる事で、どの位置のどの端子に接続した信号が現在の画面に出力されているかを容易に認識させることが出来るという効果がある。
【００３６】
なお、本実施の形態において、入力端子部のグラフィック表示で、どの入力端子の画像が選択されているのかを示すのに矢印を用いたが、選択されている入力端子をハイライト表示するとか枠で囲むなどしても良い。
【００３７】
（実施の形態３）
図５は本発明の画像表示装置の実施の形態３の構成を示すブロック図である。実施の形態１の図１、実施の形態２の図３と同一要素については同一符号を付し、同一の動作をするものとする。
【００３８】
図５において、操作部１７は、操作キー２０、リモコン２２およびリモコン２２の信号を受信するリモコン受光部２１を備えている。ここで図６はリモコンの一例である。このようなリモコン２２および操作キー２０は、右方向キー２３、左方向キー２４、上方向キー２５、下方向キー２６というような十字キーを備えている。
【００３９】
すでに実施の形態１、２で述べたように、入力切り換えを行った場合や、選択した入力モードに映像信号が接続されていないとき、選択されている映像信号の表示に映像入力端子部のグラフィック表示を行うが、このとき、操作部の操作キーやリモコンキーに備えられている十字キーつまり右方向キー２３、左方向キー２４、上方向キー２５、下方向キー２６を操作する事で、入力切り換えを行うことを可能にする。
【００４０】
例えば、図７（ａ）のようなＯＳＤが表示されたとする。図７（ａ）は映像信号としてＲＧＢ１が選択されているときであり、「ＲＧＢ１」の名称表示とともに、映像入力端子部のグラフィックに矢印にてＲＧＢ１入力端子を指し示している。そこで次に、リモコン２２にて右方向キー２３が押されると、操作部１７からの信号を受けた制御回路部１６では、「ＲＧＢ１」の右側に配置してある「ＲＧＢ２」へ映像信号を切り換えるための制御信号を入力セレクタ１２に送り、その信号を受けた入力セレクタ１２で、「ＲＧＢ１」から「ＲＧＢ２」へ入力信号の切り換えが行われる。
【００４１】
さらにこのとき、ＲＧＢ２が選択されていることを示す「ＲＧＢ２」の名称表示とともに、映像入力端子部のグラフィックに、矢印にてＲＧＢ２入力端子を示した図７（ｂ）のようなＯＳＤ表示の為の映像信号をＯＳＤ回路部１５にて出力し、信号処理部１３で処理され、映像表示部１４で画面上に表示される。更に図７（ｂ）の状態から右方向キーを押すと「ＲＧＢ２」から「Ｓ−ＶＩＤＥＯ」への信号切り換えが行われ、逆に左方向キー２４を押すと「ＲＧＢ２」から「ＲＧＢ１」へと切り替わる。
【００４２】
また、図示はしていないが、画面に表示された設定メニューから画像表示装置の設置状況を十字キーにより選択することで、たとえば画像表示装置が天井等に設置され、天地逆になった場合、設置状況を制御回路部１６に指示し、制御回路部１６からＯＳＤ回路部１５に信号が送られ、ＯＳＤ回路部１５は映像入力を設置状況に応じて天地を反転させる。しかし、「ＲＧＢ１」等の文字情報等は反転させるが、入力端子のグラフィック表示は反転させない。つまり、実際の配置状況と一致させる。
【００４３】
以上のように本実施の形態によれば、入力切り換えや設置状況の設定が、入力端子部画像のＯＳＤ表示上で可能となるため、現在選択されている入力モードが容易に判断でき、さらにどのように切り換えたら所望の映像モードへ切り換えられるかを容易に判断できるため、操作性の向上を図ることが出来るという効果がある。
【００４４】
（実施の形態４）
本発明の画像表示装置の実施の形態４の構成は、前述の各実施の形態と同様である。
【００４５】
本実施の形態においては、各映像入力端子にどのような映像が入っているかを表示する機能を備えている。
【００４６】
各入力端子に対してそれぞれ信号処理部を持っている場合は、リアルタイムに各端子の映像を表示すればよいが、入力端子数よりも少ない処理部で画像表示を行う際は同時に表示する事は出来ないため、各映像入力端子の映像を順次取得し、それを静止画として表示していくことを繰り返す事で、各端子にどのような映像が入っているかを一望できるようにする。例えば、図２に示すように、「ＲＧＢ１」、「ＲＧＢ２」、「Ｓ−ＶＩＤＥＯ」の入力端子を持っていた場合、まず「ＲＧＢ１」の映像を取得し、該当するＲＧＢ１の表示領域範囲に表示（図２では図示していない）する。つづいて「ＲＧＢ２」、「Ｓ−ＶＩＤＥＯ」の映像を取得し、同様に表示する。これを繰り返す事でコマ送りのような状態で各映像入力端子にどのような映像が入っているかを一望できるようにする。
【００４７】
前述の各実施の形態にあったように、該当する入力端子に映像が入っていない場合は無信号の表示となるが、どのような機器を接続したらよいか等のガイドを表示する事も可能である。
【００４８】
以上のように本実施の形態によれば、入力切り換えが入力端子画像のＯＳＤ表示だけでなくどのような映像が入っているかをユーザが一覧する事ができるので、所望の映像モードへの切り換えがスムーズになるとともに、機器のどこに位置する端子にどの映像が入っているかが容易に判断でき、接続機器を変更する際の操作性の向上も図る事が出来る。
【産業上の利用可能性】
【００４９】
本発明にかかる画像表示装置は、入力信号の選択にＧＵＩ（グラフィカル  ユーザ  インターフェイス）を用い、かつ、機器の設置状況に応じてグラフィック表示を変化させることにより、ユーザに容易に映像入力切り換え時の映像信号の状態を容易に理解させることが出来、操作性の向上を図ることが出来るため、画像表示装置等の用途に有用である。
【図面の簡単な説明】
【００５０】
【図１】本発明の実施の形態１の画像表示装置の構成を示すブロック図
【図２】本発明の実施の形態１の画像表示装置のＯＳＤ表示を示す図
【図３】本発明の実施の形態２の画像表示装置の構成を示すブロック図
【図４】本発明の実施の形態２のＯＳＤ表示を示す図
【図５】本発明の実施の形態３の画像表示装置の構成を示すブロック図
【図６】本発明の実施の形態３の画像表示装置のリモコンの一例を示す外観図
【図７】本発明の実施の形態３のＯＳＤ表示を示す図
【符号の説明】
【００５１】
１１  入力信号端子部
１２  入力セレクタ
１３  信号処理部
１４  映像表示部
１５  OSD回路部
１６  制御回路部
１７  操作部
１８  信号判別回路
１９  信号処理回路
２０  操作キー
２１  リモコン受光部
２２  リモコン
２３  右方向キー
２４  左方向キー
２５  上方向キー
２６  下方向キー
【図１】
2008070512.tif 000003
【図２】
2008070512.tif 000004
【図３】
2008070512.tif 000005
【図４】
2008070512.tif 000006
【図５】
2008070512.tif 000007
【図６】
2008070512.tif 000008
【図７】
2008070512.tif 000009